(57)【要約】【課題】冊子状媒体の搬送速度の変動に起因する磁気データの読み取りエラーや書き込みエラーをなくし、部品の削減及び低価格化を図る。【解決手段】通帳を開いた状態で載せるトッププレート８を移動不可に設けると共に、このトッププレート８を囲える大きさとした枠状の搬送体９を印字ヘッド７の移動方向と直交する方向に移動可能に設け、この搬送体９にトッププレート８上に載せた通帳を固定して、搬送体９の移動により通帳を搬送することで磁気ヘッドによる磁気データの読み取り及び書き込みを行うと共に、印字の際の改行を行う。【選択図】        図１
2006044941.tif 000002
【特許請求の範囲】
【請求項１】
冊子状媒体を搬送しつつ該冊子状媒体に設けられた磁気ストライプに対して磁気ヘッドにより少なくともデータの読み取り行うと共に、前記冊子状媒体を搬送して印字ヘッドに対する改行を行うプリンタにおいて、
冊子状媒体を載せる載置部を移動不可に設けると共に、
この載置部を囲える大きさとした枠状の搬送体を印字行方向と直交する方向に移動可能に設け、
この搬送体に前記載置部上に載せた冊子状媒体を固定して、搬送体の移動により前記冊子状媒体を搬送することを特徴とするプリンタ。
【請求項２】
請求項１に記載のプリンタにおいて、
前記搬送体の一側内面に、前記冊子状媒体を前記搬送体の他側内面に押し付ける弾性部材を設けたことを特徴とするプリンタ。
【請求項３】
請求項１または請求項２に記載のプリンタにおいて、
前記搬送体に前記冊子状媒体を挟んで固定する固定部材を設けたことを特徴とするプリンタ。
【請求項４】
請求項１乃至請求項３のいずれか１項に記載のプリンタにおいて、
外周面に螺旋状の溝を切ったリードスクリューを設けると共に、前記溝に係合する係合部材を前記搬送体に設けて、
前記リードスクリューの回転により前記溝で前記係合部材を押して前記搬送体を移動させることを特徴とするプリンタ。
【請求項５】
請求項１記載乃至請求項４のいずれか１項に記載のプリンタにおいて、
前記印字ヘッド、前記載置部、前記搬送体、及び前記リードスクリューを本体に設け、
前記磁気ヘッド及び前記印字ヘッドに対向するプラテンを前記本体に対して開閉可能な蓋体に設けたことを特徴とするプリンタ。
【発明の詳細な説明】
【技術分野】
【０００１】
本発明は、預金通帳等の冊子状媒体に印字を行うプリンタに関するもので、特に渉外員等が携帯するのに適した小型で薄型の通帳プリンタに関するものである。
【背景技術】
【０００２】
従来のこの種のプリンタは、冊子状媒体である通帳を搬送しつつ該冊子状媒体に設けられた磁気ストライプに対して磁気ヘッドによりデータの読み取り及び書き込みを行うと共に、取引内容を印字する際には前記通帳を搬送して印字ヘッドに対する改行を行うものとなっている。
通帳の搬送手段としては、通帳を挟持して回転するフィードローラとテンションローラが用いられるが、一般にこのフィードローラとテンションローラは複数列設けられ、通帳は順次フィードローラとテンションローラに送り渡される形で搬送される（例えば、特許文献１参照）。
【特許文献１】特開２００１−３０５４２（段落「００１７」〜段落「００２０」、段落「００２３」、図１０、図１１）
【発明の開示】
【発明が解決しようとする課題】
【０００３】
しかしながら、上述した従来の技術においては、以下の問題がある。
図９は通帳を開いた状態を示す側面図、図１０はフィードローラによる通帳の搬送状態を示す側面図である。
図９（ａ）に示したように、通帳Ｔを開いたとき、中央の綴じ目を中心とする両側部分Ａが略Ｖ字形になるような癖がついている場合、このような通帳をフィードローラとテンションローラで挟持して搬送すると、前記綴じ目の部分が搬送路を形成するガイド板に当たって浮き上がりを生じ、その結果、装置内で磁気ヘッドが通帳の磁気ストライプＭに密着できなくなったり、印字ヘッドが印字面に対して適切なギャップを保てなくなって、磁気データの読み取りエラーや書き込みエラー、あるいは印字不良等を引き起こすという問題がある。
【０００４】
これを防止するためには、装置内にモータやソレノイドを駆動源とする矯正機構を設けて図９（ｂ）に示すように通帳Ｔの綴じ目の両側をまっすぐに伸ばす必要があるが、このような矯正機構を設けると、装置が大型化することになる。
また、図１０に示したように、通帳Ｔは開くページによっては、綴じ目の位置に段差Ｂが生じるため、この段差Ｂがフィードローラ４０を乗り越える際、通帳Ｔの送り速度に若干の速度変動が生じ、これが磁気データの読み取りエラーや書き込みエラーの原因になるという問題がある。
【０００５】
これを防ぐには、フィードローラ４０の直径を大きくするなどの方法が考えられるが、この場合も装置の大型化を招くことになる。
更に、フィードローラとテンションローラが複数列設けられるため、ローラ数が多く、しかもフィードローラを駆動するためのギヤ等の数も多くなるだけでなく、駆動用のモータも大きなものを必要とするため、部品点数が増えると共に高価になるという問題がある。
【０００６】
本発明は、このような問題を解決することを課題とする。
【課題を解決するための手段】
【０００７】
そのため、本発明は、冊子状媒体を搬送しつつ該冊子状媒体に設けられた磁気ストライプに対して磁気ヘッドによりデータの読み取り及び書き込みを行うと共に、前記冊子状媒体を搬送して印字ヘッドに対する改行を行うプリンタにおいて、冊子状媒体を開いた状態で載せる載置部を移動不可に設けると共に、この載置部を囲える大きさとした枠状の搬送体を印字行方向と直交する方向に移動可能に設け、この搬送体に前記載置部上に載せた冊子状媒体を固定して、搬送体の移動により前記冊子状媒体を搬送することを特徴とする。
【発明の効果】
【０００８】
このようにした本発明は、載置部上に載せた冊子状媒体を枠上の搬送体に固定して、搬送体の移動により通帳を搬送するものとしているため、通帳を平らに固定することができ、そのため、磁気ヘッドを冊子状媒体の磁気ストライプに確実に密着させることができると共に、印字ヘッドと印字面との適切なギャップを保つことが可能となり、磁気データの読み取りエラーや書き込みエラー、あるいは印字不良等を防止できるという効果が得られる。
【０００９】
また、冊子状媒体の搬送にフィードローラを用いないため、冊子状媒体の搬送速度に段差による変動が生じることもなくなり、速度変動に起因する磁気データの読み取りエラーや書き込みエラーをなくすことができるという効果も得られる。
また、搬送体の移動により通帳を搬送するため、小型のモータを使用することが可能となり、ローラを使用しないことと合わせて、部品の削減及び低価格化を図ることができるという効果も得られる。
【発明を実施するための最良の形態】
【００１０】
以下、図面を参照して本発明によるプリンタの実施例を説明する。
【実施例】
【００１１】
図２は実施例の外観を示す斜視図である。
図２において１は本プリンタの蓋体に相当するアッパユニット、２はプリンタ本体に相当するロワユニットで、アッパユニット１は一側端が軸３を介してロワユニット２に回転自在に取り付けられており、この軸３を支点に回動させることによりロワユニット２に対して矢印Ｃで示した方向に開閉できるようになっている。
【００１２】
尚、図示しないがロワユニット２には、アッパユニット１を閉じた状態にロックする手段及びそのロックを解除する手段と、アッパユニット１の開閉を検知するスイッチ等の検知手段が設けられている。
図３はアッパユニット１の側面図で、図において４は通帳の磁気ストライプに対して磁気データの読み取り及び書き込みを行う磁気ヘッド、５は印字時に通帳を支えるプラテンである。
【００１３】
この磁気ヘッド４とプラテン５は、アッパユニット１内に設けられたコイルスプリング６ａ，６ｂによりそれぞれ支持され、アッパユニット１の底面にそれぞれ設けられた穴から下方に突出するようになっている。
図１は実施例の要部斜視図で、ロワユニット２内の構成を示している。
この図に示したようにロワユニット２の内部には、印字ヘッド７及びインクリボンカセット１２を有する印字機構部、通帳の載置部と搬送路を兼ねるトッププレート８、搬送体９、制御基板１０、バッテリ１１、リードスクリュー１６、ステッピングモータ１７、ガイドシャフト２０ａ，２０ｂ、及びセンサ２１等が備えられている。
【００１４】
前記トッププレート８は、通帳が滑りやすい材料により上面が平坦な矩形状に形成されており、アッパユニット１を閉じたとき、アッパユニット１と対面するように移動不可に設けられている。
リードスクリュー１６にはその外周面に沿って軸長のほぼ全長に亘るように螺旋状の溝が切られている。
【００１５】
このリードスクリュー１６はトッププレート８の下側中央部に位置するように図示しない軸受けを介して制御基板１０上方に回転可能に支持されており、同じく制御基板１０上方に設けられたステッピングモータ１７の回転力がギア等を介して伝えられることで回転するものとなっている。
ガイドシャフト２０ａ，２０ｂはこのリードスクリュー１６と平行にかつ搬送体９の両側外方に位置するように配置されている。
【００１６】
尚、トッププレート８及びガイドシャフト２０ａ，２０ｂは，それぞれの後端がロワユニット２の筐体に固定されており、搬送体９はトッププレート８を囲い込むように配置されている。
印字ヘッド７は図示しないモータを駆動源としてリードスクリュー１６の軸長方向と直交する方向にトッププレート８の前端面に沿って移動できるように設けられており、インクリボンカセット１２から供給されるインクリボンを介して通帳（冊子状媒体）に取引内容を印字する機能を有している。
【００１７】
制御基板１０には、前記アッパユニット１に設けられた磁気ヘッド４、ステッピングモータ１７、印字ヘッド７とその移動用のモータ、及びセンサ２１等が接続されていて、制御基板１０に搭載されたＣＰＵ等の制御部によりをこれらの動作制御が行われる他、制御部は図示しない接続手段により制御基板１０に接続されるＰＤＡ（Ｐｅｒｓｏｎａｌ  Ｄｉｇｉｔａｌ  Ａｓｓｉｓｔａｎｔ）等の携帯用の端末装置とデータの授受を行う機能を備えている。
【００１８】
バッテリ１１は制御基板１０を介して必要部位に電力を供給する電源である。
ここで搬送体９について、その構造の詳細を説明する。
図４は搬送体９の斜視図、図５は搬送体９の後面図、図６は搬送体前部の側断面図である。
図４に示したように搬送体９は、左右の２辺を成す垂直板部２３ａ，２３ｂと前後の２辺を成す水平板部２３ｃ，２３ｄによりトッププレート８を囲える大きさの矩形枠状に形成されており、左右の垂直板部２３ａ，２３ｂの外面後部にはガイド穴２４ａ，２４ｂを有する例えば筒状のガイド部材２５ａ，２５ｂが形成されていて、ガイド部材２５ａ，２５ｂはガイド穴２４ａ，２４ｂにより図１に示したようにガイドシャフト２０ａ，２０ｂに摺動可能に嵌合している。
【００１９】
前記垂直板部２３ｂの内面には、くの字状等に形成した板バネによる弾性部材２６ａ，２６ｂが取り付けられていて、この弾性部材２６ａ，２６ｂは、通帳を開いてセットしたときその通帳を垂直板部２３ａに押し付ける押圧手段として働くようになっている。
また、前部側の水平板部２３ｃ上には、図６に示すようにコイルバネ等の付勢手段１４により付勢されたクランプ部材２７が設けられ、このクランプ部材２７は水平板部２３ｃとの間に開いた通帳の前端部を挟みつけて固定する固定部材として機能するものとなっている。
【００２０】
一方、後部側の水平板部２３ｄの上面両端部には、図４に示したように開いた通帳の後端部を押さえる側面形状逆Ｌ字形の押さえ部材２８ａ，２８ｂが設けられている。
尚、この押さえ部材２８ａ，２８ｂについても、図６に示したクランプ部材２７と同様の構造にすることが可能である。
前記水平板部２３ｄの下面中央部には、図５に示したように係合部材としてのニードル１８が垂直に設けられていて、その先端が図１に示すリードスクリュー１６の溝部に滑動可能に係合しており、このニードル１８との間にリードスクリュー１６を挟みつける板バネ１９を支持したＬ字形の支持部２９がニードル１８の側方に位置するように水平板部２３ｄの下面に設けられている。
【００２１】
これによりリードスクリュー１６が正方向または逆方向に回転すると、リードスクリュー１６の外周面に切られた螺旋状の溝の立面によりニードル１８が押され、これによりニードル１８はリードスクリュー１６上を直線移動し、それに伴って搬送体９はガイドシャフト２０ａ，２０ｂにガイドされて図１に矢印Ｄ，Ｅで示す方向、つまり印字ヘッド７の移動方向である印字行方向と直交する方向に移動することができるようになっている。
【００２２】
更に、水平板部２３ｄ下面の所定の位置には図１に示したセンサ２１により光学的に検知される検知部材３０が設けられている。
尚、前部側の水平板部２３ｃの上面はトッププレート８の上面とほぼ同一の高さとなるように設定され、また後部側の水平板部２３ｄは搬送体９の移動を妨げないようにトッププレート８の下側に位置するように設定されている。
【００２３】
上述した構成の作用について、前記図１〜図６と共に図７、図８を参照して説明する。
図７は通帳セット時の実施例の斜視図、図８は通帳搬送時の実施例の斜視図である。
尚、以下に説明する各部の動作は、図示しない記憶部に格納されたプログラム（ソフトウェア）に基づいて図示しない制御部により制御される。
まず、アッパユニット１のロックを解除して図７に示したようにアッパユニット１を開く。
【００２４】
そして、通帳Ｔの印字を行う頁を開き、その頁が下側になるように伏せて搬送体９の内側に位置するトッププレート８上に載せると、このとき搬送体９の垂直板部２３ｂに設けられている弾性材２６ａ，２６ｂによって通帳Ｔの一側端が押され、通帳Ｔの他側端が反対側の垂直板部２３ａに押し付けられる。
これにより、通帳Ｔの印字すべき行が印字ヘッド７の移動経路と平行になるように位置決めされ、これにより印字結果が斜めになるようなことを防止している。
【００２５】
この状態で通帳Ｔの前端部を搬送体９の前部側の水平板部２３ｃに設けたクランプ部材２７と水平板部２３ｃにより通帳Ｔの前端部を挟みつけて固定すると共に、通帳Ｔの後端部を搬送体９の後部側の水平板部２３ｃに設けられている押さえ部材２８ａ，２８ｂに挿入（またはクランプにより固定）することで、通帳Ｔはまっすぐに伸ばされた状態にセットされる。
【００２６】
このようにして通帳Ｔのセットを完了した後、アッパユニット１を閉じてロックすると、このアッパユニット１に設けられている磁気ヘッド４が通帳Ｔの磁気ストライプＭの先頭位置に圧接すると共に、プラテン５が印字ヘッド７の移動経路上で通帳Ｔに圧接する。
この磁気ヘッド４及びプラテン５は、上述したようにコイルスプリング６ａ，６ｂによりそれぞれ支持されているので、通帳Ｔの開かれた頁に拘らず、磁気ストライプＭや通帳Ｔへの充分な圧接力が確保される。
【００２７】
アッパユニット１を閉じた後、本プリンタに接続されている図示しない端末装置を操作して磁気ストライプデータの読み取りを指示すると、ステッピングモータ１７が正方向に回転するように駆動され、その回転力がギア等を介して伝えられることでリードスクリュー１６が回転する。
このリードスクリュー１６の回転により搬送体９が通帳Ｔをクランプ部材２７により固定保持したままロワユニット２から抜け出るように図１に示す矢印Ｄ方向に一定量移動し、その移動に伴って磁気ヘッド４が磁気ストライプＭから口座番号等の磁気データを読み取り、そして読み取り終了後、ステッピングモータ１７が停止する。
【００２８】
読取られた磁気データは前記情報端末のＰＨＳ機能により所定の営業店の端末を介してホストコンピュータに送られ、そしてホストコンピュータから印字データが返送されてくると、再びステッピングモータ１７が正方向または逆方向に回転するように駆動され、リードスクリュー１６が回転して搬送体９が移動することにより通帳Ｔの改行が行われ、印字すべき行が印字ヘッド７と対応する位置に位置付けられる。
【００２９】
この改行及び前記磁気ストライプデータの読み取りおける搬送体９の移動量の制御は、図示しない制御部がステッピングモータ１７の駆動パルス数等をカウントすることで正確に行うことができる。
例えば、磁気データの読み取りの場合、図１に示すように搬送体９の検知部材３０がセンサ２１で検知される位置を搬送体９の初期位置として、ここから所定のパルス数だけステッピングモータ１７を駆動することで、磁気データの読み取り必要な分だけ搬送体９を移動させることができる。
【００３０】
また、改行の場合、例えば予め印字すべき行のデータを与え、前記駆動パルス数のカウント値から得られる搬送体９の現在位置から、搬送体９の移動方向と、ステッピングモータ１７の回転方向を、駆動パルス数を決定して駆動することで、印字すべき行を正確に印字ヘッド７と対応する位置に位置付けることができる。
こうして印字すべき行が印字ヘッド７と対応する位置に位置付けられた後、印字ヘッド７の移動と印字素子の駆動が行われ、これにより通帳Ｔに印字データが印字される。
【００３１】
印字が複数行に亘る場合は、１行印字する毎に改行が行われ、印字が繰り返して行われる。
印字が終了すると、ステッピングモータ１７が逆方向に回転するように駆動され、リードスクリュー１６が回転して搬送体９が図８に示した矢印Ｅ方向に移動する。
そして、搬送体９の検知部材３０がセンサ２１で検知されるとステッピングモータ１７の駆動が停止される。
【００３２】
その後、ステッピングモータ１７が正方向に回転するように駆動され、これにより搬送体９を矢印Ｄ方向に移動して磁気ヘッド４により磁気ストライプに対して印字済み行情報等の磁気データの書き込みが行われる。
この書き込みが終了すると、ステッピングモータ１７が逆方向に回転して搬送体９の矢印Ｅ方向への移動が行われ、搬送体９の検知部材３０がセンサ２１で検知されるとステッピングモータ１７の駆動が停止される。
【００３３】
この状態で、搬送体９は全体がロワユニット２に収納された状態となるので、この状態で、前記セット時と同様にアッパユニット１を開いて通帳Ｔを取り出し、その後アッパユニット１を再び閉じてロックする。
尚、通帳を閉じた状態で表紙への印字及び磁気ストライプへの書き込みを行う制御プログラムを用意すれば、新通帳の発行や繰越のための通帳の発行も可能である。
【００３４】
以上説明した実施例によれば、通帳を枠上の搬送体に固定して、搬送体の移動により通帳を搬送するものとし、固定の際通帳の側面を搬送体に押し付けるようにしているため、通帳を平らに固定することができると共に、スプリングにより支持された磁気ヘッドとプラテンを通帳に圧接するようにしているため、磁気ヘッドを通帳の磁気ストライプＭに確実に密着させることができると共に、印字ヘッドと印字面との適切なギャップを保つことが可能となり、磁気データの読み取りエラーや書き込みエラー、あるいは印字不良等を防止できるという効果が得られる。
【００３５】
また、通帳の搬送にフィードローラを用いないため、通帳の搬送速度に段差による変動が生じることもなくなり、速度変動に起因する磁気データの読み取りエラーや書き込みエラーをなくすことができるという効果も得られる。
また、搬送体の移動は外周面に螺旋状の溝を切ったリードスクリューの回転により行うため、小型のモータを使用することが可能となり、ローラを使用しないことと合わせて、部品の削減及び低価格化を図ることができるという効果も得られる。
【００３６】
また、ローラで通帳を搬送する場合、ローラの汚れによる摩擦力の低下や、温度によるローラ径の変化が発生するため、送りピッチのずれが生じるという不具合が生じるが、搬送体の移動による通帳の搬送では、このような不具合は発生しないため、搬送精度が長期にわたって安定するものとなり、そのため清掃等のメンテナンスを大幅に削減することができるという効果が得られ、しかも搬送体をリードスクリューの回転により移動させるので、外力の影響を受けにくい構造となって、携帯用に優れたものになるという効果も得られる。
【００３７】
尚、上述した実施例では、ＰＤＡ等の端末装置を接続して使用するものとしたが、このような端末装置の機能を組み込んで単独の装置として使用できるように構成することも可能である。
また、上述した実施例に実施例において、印字ヘッド７はインパクト式のものに限らず熱転写式のサーマルヘッドを用いることも可能であり、このサーマルヘッドとしては、移動式のものでなく、通帳Ｔの横幅と略同一で、１行分の印字を同時に行うことができるライン型のものを用いることもできる。
【００３８】
また、上述した実施例では、磁気ストライプＭを有する通帳Ｔを扱うものとして説明したが、これに限られるものではなく、ＩＣチップ（集積回路）を埋め込んだ通帳であってもよく、要は顧客の口座情報が記録されている情報記録部を持つ通帳であればよい。
【図面の簡単な説明】
【００３９】
【図１】実施例を示す要部斜視図
【図２】実施例の外観を示す斜視図
【図３】アッパユニットの側面図
【図４】搬送体の斜視図
【図５】搬送体の後面図
【図６】搬送体前部の側断面図
【図７】通帳セット時の実施例の斜視図
【図８】通帳搬送時の実施例の斜視図
【図９】通帳を開いた状態を示す側面図
【図１０】フィードローラによる通帳の搬送状態を示す側面図
【符号の説明】
【００４０】
１    アッパユニット
２  ロワユニット
４  磁気ヘッド
５  プラテン
６ａ，６ｂ  コイルスプリング
７  印字ヘッド
８  トッププレート
９  搬送体
１０  制御基板
１６  リードスクリュー
２０ａ，２０ｂ  ガイドシャフト
２３ａ，２３ｂ  垂直板部
２３ｃ，２３ｄ  水平板部
２４ａ，２４ｂ  ガイド穴
２５ａ，２５ｂ  ガイド部材
２７  クランプ部材
【図１】
2006044941.tif 000003
【図２】
2006044941.tif 000004
【図３】
2006044941.tif 000005
【図４】
2006044941.tif 000006
【図５】
2006044941.tif 000007
【図６】
2006044941.tif 000008
【図７】
2006044941.tif 000009
【図８】
2006044941.tif 000010
【図９】
2006044941.tif 000011
【図１０】
2006044941.tif 000012